(57)【要約】【課題】座と背もたれが一体に後傾する椅子において、着座によって座が後退及び後傾する（沈み込む）ことを防止する。【手段】座３はベース２に第１支軸２２で連結された中間部材１８に取り付けられており、背もたれ４の上端部は、中間部材１８を構成する背支柱１９ａの上端に連結されている。背支柱１９ａとベース２とはリアフレーム４８で連結されており、更に、背もたれ３は、リアフレーム４８の上部に対して離反不能に保持されている。また、リアフレーム４８の上端で背もたれ４が裏側から支持されている。中間部材１２の第１支軸２２が嵌まる長穴は水平姿勢になっており、かつ、リアフレーム４８の回動支点は座３の後端寄りにずれて配置されている。このため、着座によって座３が後退及び後傾することはない。【選択図】図３
2008012227.tif 000002
【特許請求の範囲】
【請求項１】
脚で支持されたベースと、前記ベースの上方に配置した座と、縦断側面視形状を容易に変化させ得るように柔軟性を持った背もたれと、座が取り付くと共にベースには後退動しつつ後傾動し得るように連結された中間部材と、背もたれを後方から押すリアフレームと、前記中間部材の後退動及び後傾動を弾性的に支持するばね手段とを備えており、
前記中間部材には背支柱を一体に設けて、背支柱で前記背もたれの上部を離反不能に保持している一方、前記リアフレームはベースに後傾可能に連結されていると共に上下中途高さ部位において背支柱と相対回動可能に連結されており、前記リアフレームの後傾度合いを背支柱の後傾度合いに比べて大きくすることにより、背もたれが後傾に連れて縦断側面視前向き突出した状態から扁平な状態に向けて伸び変形するようになっている、
という椅子であって、
前記中間部材の傾動支点となる部分を略水平方向に前後動する状態でベースに取り付けている、
椅子。
【請求項２】
前記中間部材には、ベースに対する連結手段として左右横長の第１支軸が取り付けられている一方、前記ベースには、前記第１支軸が前後スライド自在に嵌まる長穴が側面視で略水平の姿勢で延びるように形成されており、
更に、前記リアフレームは、座の後端寄りの部位においてベースに連結されている、
請求項１に記載した椅子。
【請求項３】
前記中間部材は、座の前端寄りの部位においてベースに連結されている、
請求項１又は２に記載した椅子。
【発明の詳細な説明】
【技術分野】
【０００１】
本願発明は、座が背もたれに連動して後退しつつ後傾するシンクロタイプの椅子に関するものである。
【背景技術】
【０００２】
椅子において、ロッキング時の安楽性を高めるため（或いは、座と背もたれとが離反することに基因したいわゆるシャツめくれを抑制するため）、背もたれの後傾動に連動して座を後退しつつ後傾させること（すなわちシンクロさせること）が行われている。
【０００３】
背もたれの後傾動に連動して座を後退させつつ後傾させる機構としては、一般には、座を第１支軸（スライド軸）でベースに連結された座用フレーム材に取り付ける一方、背もたれはベースに第２支軸で連結された背用フレーム材に取り付けて、座用フレーム材と背用フレーム材とを第３支軸で相対回動可能に連結し、更に、ベースにおいて第１支軸が嵌まっている穴を、側面視で後傾姿勢の長穴と成していることが多い。
【０００４】
他方、椅子（特にオフィス用椅子）においては、非ロッキング状態で使用者の身体（特に脊椎）への負担を軽減すると共に、人が背筋を伸ばした良い姿勢に保持されるようにするため、着座者の腰椎（特に第３腰椎のあたり）を背もたれで支えること（ランバーサポート機能）の重要性が注目されており、このため、背もたれの下部を側断面視で前向き凸状に突き出すことが行われている。
【０００５】
しかし、従来のシンクロタイプの椅子では、非ロッキング姿勢（作業姿勢）でもロッキング姿勢でも背もたれの側断面形状は一定であるため、背もたれの形状を非ロッキング状態での形状に合わせておくと、ロッキング時に身体に強い突き上げ感を感じるという不具合があった（ロッキング時に背もたれの下部が相対的に前向き突出する椅子も提案されているが、この場合は、突き上げ感が一層大きくなる。）。
【０００６】
この点について本願出願人は、特許文献１において、座が取り付いた傾動フレーム（本願の中間部材に相当する）に背支柱を設けて、この背支柱の上端部に背もたれの上部を連結する一方、傾動フレームとベースとを補助フレーム（本願のリアフレームに相当する）で相対回動可能に連結し、補助フレームのうち傾動フレームに対する連結点よりも上方の部位を背もたれに連結し、更に、背もたれを縦断側面視での形状が容易に変化するように柔軟性を有する構造とした椅子を提案した。
【特許文献１】特願２００５−３３６３２
【発明の開示】
【発明が解決しようとする課題】
【０００７】
この先願によると、リアフレームの後傾の度合いが傾動フレームの後傾の度合いよりも大きいため、背もたれは、非ロッキング状態において側断面視で前向き凸状に大きく湾曲していても、ロッキング時には扁平な状態に向けて伸び変形することになり、すなわち、背もたれの全体が湾曲したり扁平に伸びたりすることになり、このため、非ロッキング時にランバーサポート機能を発揮させるにおいて身体への当たりの柔らかさを確保できると共に、ロッキング時には背もたれによる身体の突き上げ感を無くしてフィット性を高めることができる。
【０００８】
本願発明は、前記先願を踏襲しつつ改良を加えたものであり、その利点を損なうことなく、着座に際して座が後退及び後傾することを防止しつつロッキングの確実性も確保することを課題とするものである。
【課題を解決するための手段】
【０００９】
本願発明に係る椅子は、脚で支持されたベースと、前記ベースの上方に配置した座と、縦断側面視形状を容易に変化させ得るように柔軟性を持った背もたれと、座が取り付くと共にベースには後退動しつつ後傾動し得るように連結された中間部材と、背もたれを後方から押すリアフレームと、前記中間部材の後退動及び後傾動を弾性的に支持するばね手段とを備えている。
【００１０】
そして、前記中間部材には背支柱を一体に設けて、背支柱で前記背もたれの上部を離反不能に保持している一方、前記リアフレームはベースに後傾可能に連結されていると共に上下中途高さ部位において背支柱と相対回動可能に連結されており、前記リアフレームの後傾度合いを背支柱の後傾度合いに比べて大きくすることにより、背もたれが後傾に連れて縦断側面視前向き突出した状態から扁平な状態に向けて伸び変形するようになっている。
【００１１】
請求項２の発明は、請求項１において、前記中間部材には、ベースに対する連結手段として左右横長の第１支軸が取り付けられている一方、前記ベースには、前記第１支軸が前後スライド自在に嵌まる長穴が側面視で略水平の姿勢で延びるように形成されている。請求項３の発明では、前記中間部材は、座の前端寄りの部位においてベースに連結されている。
【発明の効果】
【００１２】
本願発明によると、非ロッキング状態において使用者の腰椎を的確に支持できると共にロッキング時のフィット性を確保できるが、中間部材のうちベースに対する連結部（回動支点の部分）は略水平方向に前後動するため、着座による荷重が中間部材を後退させるように作用することはなく、中間部材は使用者が背もたれに凭れ掛かることによって初めて後退する。
【００１３】
従って、ロッキング用のばねのばね力が弱くても、非ロッキング状態での腰椎の的確な支持とロッキング状態でのフィット性とを確保しつつ、非ロッキング状態で座を安定した状態に保持できる。
【００１４】
中間部材とベースとの連結手段としては、ベースに横長の軸を固定して、中間部材に長穴を形成するといったことも可能であるが、請求項２のように支軸と長穴とからなる組み合わせを採用すると、構造が単純である利点がある。また、リアフレームの回動支点は座の後部寄りに位置しているため、着座による荷重がリアフレームに対してこれを後傾させるように作用することはなく、逆に、リアフレームは中間部材が後傾しないように後部から支える状態になるため、着座によって座が後退及び後傾することをより確実に防止できる。
【００１５】
請求項３のように構成すると、座はその前端寄りの部分を中心にして後傾するため、座が過度に後傾して着座者の大腿部が突き上げられることを防止できる利点がある。
【発明を実施するための最良の形態】
【００１６】
次に、本願発明の実施形態を図面に基づいて説明する。
【００１７】
(1).椅子の概要
先ず、図１〜図３に基づいて椅子の概要を説明する。図１のうち（Ａ）は正面図、（Ｂ）は右側面図、図２のうち（Ａ）は平面図、（Ｂ）は図１（Ａ）の IIB-IIB視断面図、（Ｃ）は背面図、（Ｄ）は座と背もたれのみの縦断側面図、図３は椅子の縦断側面図である。
【００１８】
椅子は、脚１と、脚１の上端に取り付けたベース２と、その上方に配置した座３と、座３の後方に配置した背もたれ４とを備えている。脚１は、ガスシリンダからなる脚柱５と、脚柱５から放射状に延びる枝足６とを備えており、各枝足６の先端にはキャスター７を設けている。脚柱５のロックはベース２に設けたレバー８（図１（Ａ）参照）の操作によって解除できる。
【００１９】
図２（Ｄ）及び図３に示すように、座３は、樹脂製の前後インナーシェル（座板）９，１０とそれらの上面に一連に延びるように張ったクッション体１１とを備えており、従って、座３は、背もたれ４がロッキングしない限り動かない座後部３ｂと、独立して前傾動可能な座前部３ａとから成っている。
【００２０】
背もたれ４は、背インナーシェル４ａの前面にクッション４ｂを張った構造になっており、背インナーシェル４ａの後方には、背インナーシェル４ａの略全部高にわたって延びるバックカバー１２を配置している（バックカバー１２は背支柱に固定されている）。また、バックカバー１２とベース２との間の空間はリアカバー１３で塞がれており、更に、ベース２の前方にはフロントカバー１４を装着しており、フロントカバー１４の左右両側には、座前部３ａを傾動操作するためのフロントレバーの摘まみ１５が露出している。なお、フロントカバー１４は座３の前部インナーシェル９に取り付けられている。図１及び図２に示す符号１６は、背もたれ４を後傾可能な状態と後傾不能状態とに切り換えるレバーである。
【００２１】
(2).座部の詳細
次に、図４〜図１１も参照して座３とその周辺部を詳述する。図４は座３の支持機構を示す分離斜視図、図５はベースと下受け部材の分離斜視図、図６は座インナーシェル９，１０の分離斜視図、図７は座アウターシェル２５の斜視図、図８は座を省略した状態での平面図、図９は図８の IX-IX視部分断面図、図１０は図８の X-X視部分断面図、図１１は座３の前部を前傾させる機構を示す断面図である。
【００２２】
ベース２は上向きに開口したハウジング状になっており、座３とベース２との間には、例えば図４に示すように、座３と背もたれ４とが取り付く中間金具１８が配置されている。中間金具１８は左右２本のパイプ１９を主要部材としており、パイプ１９の後端は上向きに延びて背支柱１９ａになっている。すなわち、本実施形態では、座３と背もたれ４とが一つの中間金具１８に取り付けられている。
【００２３】
中間金具１８を構成する左右のパイプ１９前部には、正面視上向き開口コ字状状のフロントブラケット２０が溶接によって固着されている。そして、左右のフロントブラケット２０に左右横長の第１支軸（スライド軸）２２が溶接によって固着されており、また、左右のパイプ１９の水平部は、第１連結部体２３及び第２連結体２４で一体に連結されている。
【００２４】
図３に示すように、後部インナーシェル１０の下方には、樹脂製の座アウターシェル（座受け板）２５が配置されており、後部インナーシェル１０は座アウターシェル２５に着脱可能に固定されており、座アウターシェル２５は中間金具１８の第１連結体２３にビス等によって固定されている。
【００２５】
図４及び図９から理解できるように、中間金具１８の第１支軸２２は上下に重なり合う下受け部材２６と上受け部材２７とで挟まれており、更に、上受け部材２７には押さえ部材２８が重なっており、これらの三者は互いに重ねた状態でベース２にねじ（図示せず）で共締めされている。第１支軸２２は、座３の手前に寄った部位に配置されている。具体的には、座３の全長の２／３程度の寸法だけ手前に寄った部位かそれよりもやや手前に配置されている。
【００２６】
図５に示すように、下受け部材２６には前後左右４個の係合穴２６ａが上下に貫通して空いている一方、ベース２には、前記係合穴２６ａがきっちり嵌まるボス体２ａが一体に形成されており、ボス体２ａに下受け部材２６を嵌め込むことにより、下受け部材２６は水平方向に移動不能に保持される。押さえ部材２１はボス体２ａにビスで締結されている。ボス体２ａは上窄まりになっており、このため、下受け部材２６の嵌め込みが容易であると共にずれ不能に保持される。
【００２７】
ベース２には、下受け部材２６の後端が当たるセンター突起２ｂ、脚柱５が嵌まる穴２ｃ、肘掛け（図示せず）を取り付けるための張り出し部２ｄなどが形成されている。なお、ベース２や上下受け部材２６，２７はアルミ等のダイキャスト製品であり、押さえ部材２８は板金製品である。勿論、各部材の素材や加工方法は任意に選択できる。
【００２８】
上下受け部材２６，２７には第１支軸２２が前後にスライドすることを許容する長溝２９が水平状に延びるように形成されている。上下の長溝２９は互いに重なることで長穴となっており（従って、本実施形態では長溝２９は長穴と同義である）。また、下受け部材２６の長溝２９が上受け部材２７の長溝２９よりも深さが深くなっている。これは、第１支軸２２の支持強度を確保するためである。なお、長溝（長穴）２９は多少の角度なら後傾していても良い。
【００２９】
更に、上下受け部材２６，２７の間にはばね（圧縮コイルばね）３０が前後方向に延びるように配置されており、下受け部材２６の後端にはばね３０を後方から支持するための後ろ壁３１が形成されている。他方、中間金具１８の第１支軸２２には、ばね３０を前方から支える前部ばね受け３２が重なっている。従って、中間金具１８（及び座３と背もたれ４）は、ばね３０に抗して後方にスライド可能でかつ第１支軸２２を中心にして後傾し得る。
【００３０】
図６に示すように、前部インナーシェル９は略平板に近い形態であり、後部インナーシェル１０は、正面視で上向き凹状に緩く曲がっており、また、縦断正面視では上向き凹状に緩く湾曲している。そして、前後インナーシェル９，１０は、左右一対ずつの筒状軸受け部３３と、半円状軸受け部３４とに連結ピン３５を通すことで屈曲可能に連結されている。連結ピン３５は第１支軸２２よりもやや後方に位置している（換言すると、第１支軸２２が座前部３ａの屈曲点よりも手前に位置している。）。
【００３１】
筒状軸受け部３３はそれぞれ左右端部寄りに位置しており、半円状軸受け部３４は中間部寄りに位置している。なお、本実施形態では、前後インナーシェル９，１０を連結してからインサート成形法によってクッション１１を一体に成形しているが、クッション１１は別に製造して取り付けることも可能である。
【００３２】
座アウターシェル２５は後部インナーシェル１０の真下に配置されており、爪状係合部３６と穴状係合部３７との嵌め合わせにより、後部インナーシェル１０を座アウターシェル２５に取り付けている。座アウターシェル２５が中間金具１８に固定されていることは既述のとおりである。
【００３３】
図９，１０に示すように、上下受け部材２６，２７の長溝２９は水平方向に延びている。このため、ばね３０のばね力が過度に大きくなくても、人が座３に腰掛けただけで座３が後傾することはない。
【００３４】
ところで、従来のシンクロタイプの椅子では第１支軸は側面視で後傾姿勢の長穴に嵌まっており、このため、ばねのばね力が弱いと、着座によって座が後傾することになり、さりとて強いばねを使用すると背もたれ４の後傾に対して抵抗が強すぎてしまう。
【００３５】
これに対して本実施形態のように第１支軸２２を水平動させると、着座の荷重Ｗが座３を後退させるように作用することはなく（荷重Ｗの全てが下向きに作用し、第１支軸２２を後退動させる水平分力は生じない）、人が背もたれ４に凭れ掛かることによって初めて座３が後退するため、ばね３０は従来よりもばね力が遥かに弱いものを使用でき、このため、体重が軽い使用者（特に女性）が使用して背もたれ４に凭れ掛かっても、背もたれ４を軽快に後傾動させて快適なロッキング状態を確保できるのである。また、コスト面でも有利である。
【００３６】
(3).座前部の前傾構造
次に、座前部３ａを傾動させるための機構を図１１に基づいて簡単に説明する。図１１のうち（Ａ）は中間金具１８におけるフロントブラケット２０の近傍部における縦断側面図、（Ｂ）は左右中間部の縦断側面図である。フロントブラケット２０の先端には、図４に示すように前向きの張り出し部２０ａが形成されており、この張り出し部２０ａに、図１１に示す軸受け部材３８が上方から重ね配置されている。
【００３７】
軸受け部材３８は、１枚の側板３８ａと、側板３８ａの内側に位置した支持面３８ｂと、フロントブラケット２０の内部に嵌まり込む後ろ向き凸部３８ｃとを備えており、後ろ向き凸部３８ｃがピン３９でフロントブラケット２０に取り付けられている。
【００３８】
そして、軸受け部材３８の側板３８ａに、フロントレバー４０の中心軸４０ａが回転可能に嵌まっている。また、軸受け部材３８の支持面３８ｂには、長穴を有するカム部材４２が載っており、カム部材４２の長穴には、フロントレバー４０におけるセンタークランク部４０ｂの左右付け根部が嵌まっている。カム部材４２は、フロントレバー４０を回動させることにより、直立姿勢と前倒れ姿勢とに自在に姿勢が変えられる。また、前部インナーシェル９には、カム部材４２を直立状態に保持する下向き突起４３が形成されている。
【００３９】
図１１（Ｂ）に示すように、フロントレバー４０におけるセンタークランク部４０ｂの左右中間部は、前部インナーシェル９の前面に形成した側面視円弧状の下向き凹状のガイド穴４４に嵌まっている。ガイド穴４４は、前部インナーシェル９に形成した下向き凹状円弧部９ａに下ガイド部材４５を下方から装着することによって形成されている。
【００４０】
フロントレバー４０の左右端部には既述した細長い摘まみ１５が取り付けられており、摘まみ１５を操作してカム部材４２を回動させると、フロントレバー４０のセンタークランク部４０ｂが前倒れして座前部３ａが下向きに押し下げられ、これにより、座前部３ａは連結ピン５９を中心にして前傾する。前傾角度は略１５度程度に設定している。
【００４１】
(4).背もたれの取り付け構造
次に、図３と図１２とに基づいて背もたれ４の取り付け構造を説明する。図１２は分離斜視図である。
【００４２】
図３に示すように、背もたれ４は、樹脂製の背インナーシェル４ａとその前面に張ったクッション４ｂとを備えており（勿論、クロスも張っている）、背インナーシェル４ａは、例えば多数の横長スリットを形成するなどして、側面視形状を軽い力で変えられるような柔軟性を持たせている。左右背支柱１９ａの上端は断面コ字状のアッパー連結体４７によって連結されており、背インナーシェル４ａの上端部はこのアッパー連結体４７に固定（連結）されている。
【００４３】
また、背もたれ４の支持機構として、左右２本のパイプ材を有する側面視略Ｌ文字状のリアフレーム４８が配置されている。リアフレーム４８を構成する左右のパイプの前端部にはブラケット板４９を介して第２支軸５０が一体に固着されている。前記第２支軸５０は、ベース２の後部に上下２割り方式の軸受け５１，５２で回動可能な状態に挟まれており、軸受け５１，５２は押さえ部材５３によってビスでベース２に固定されている。従って、リアフレーム４８は第２支軸５０を中心にして傾動し得る。
【００４４】
なお、図３において、第２支軸５０に対する軸受け５１，５２は本来は断面表示すべきであるが、煩雑になるため断面表示（ハッチング）は省略している。また、図１２では上部の軸受け部材５１しか表示していない。
【００４５】
リアフレーム４８を構成する左右パイプの下部には、金属板製の第４連結体５４が一体に固着されており、また、左右パイプの上端部には金属板製の第５連結体５５が一体に固着されている。第４連結体５４は前向き溝５４ａと上下の羽根板５４ｂとを備えている一方、左右背支柱１９ａの下部には、ブラケット材５６を介して第３支軸５７が一体に固定されている。
【００４６】
そして、第３支軸５７は上下二つ割方式の前後軸受け５８，５９で回転可能に挟まれており、前後軸受け５８，５９は、これに前方から重なる押さえ部材６０を介して第３連結体３３に固定されている。従って、中間金具１８（背支柱１９ａ）とリアフレーム４８とは連動して回動する。後ろ側の軸受け５８は第３連結体５４の前向き溝５４ａに嵌まっており、押さえ部材５０は第３連結体５４の上下羽根板５４ｂにビスで締結されている。
【００４７】
リアフレーム４８における第４連結体５５には、上向きに延びる左右一対の軸受け片５５ａが一体に形成されており、この左右軸受け片５５ａに挿通したピン６１にコロ６２を回転可能に嵌め入れて、コロ６２を背インナーシェル４ａの背面に当てている。背インナーシェル４ａの縦長中心部は、コロ６２が当たった部分が最も手前に位置するように側面視で前向き凸状に押し曲げられている。また、背インナーシェル４ａの前向き頂点部分は、着座した人の第３腰椎と略同じ高さになるように設定している。
【００４８】
図３に示すように、背インナーシェル４ａの背面のうちリアフレーム４８の第３連結体５４と第４連結体５５との間の部分に位置した部分は、後ろ向きに突出した箱状のブラケット部６３を介して左右横長の係止ピン６４が一体に設けられている（係止ピン６４は背インナーシェル４ａと別部材でも良い）。
【００４９】
他方、図３から理解できるように、リアフレーム４８の第３連結体５４と第４連結体５５とに、係止ピン６４が嵌まるガイド体６５をビスで固定している。ガイド体６５は、上下長手でかつ下部が前向きに開口したガイド溝６５ａを有しており、ガイド溝６５ａに係止ピン６４が嵌まっていることにより、背インナーシェル４ａはリアフレーム４８から前向き離反不能に保持される。リアフレーム４８は補助カバー６６で前方から覆われている。なお、ガイド溝６５ａの下部が前向きに開口しているのは、係止ピン６４を前方から嵌め入れることを許容するためである。
【００５０】
図３から理解できるように、リアフレーム４８は座３の後端寄りの部位においてベース２に取り付けられており、このため、リアフレーム４８の回動支点は、人が着座するに際して荷重が作用する中心点（図３の白抜き矢印の位置）よりも後方にずれている。このため、人が着座して背もたれ４にもたれ掛かっていない状態では、中間部材１８（及び背支柱１９ａ）はリアフレーム４８で後方から上向きに支持された状態になっており、これによっても、人が単に着座しただけで第１支軸２２が後退動することを阻止している。
【００５１】
(5).座と背もたれの動き
図１３は椅子の骨組みを模式的に示した図であり、この図１３に基づいて座３と背もたれ４の動きを説明する。本実施形態は中間金具１８に座３と背もたれ４とが取り付けられているので、座３と背もたれ４とは一緒に後傾動する。そして、リアフレーム４８と背支柱１９ａ（中間金具１８）とが連結されているため、リアフレーム４８も背支柱１９ａの後傾動に連動して後傾するが、リアフレーム４８は回動支点が背支柱１９ａの回動支点よりも後方に位置しているため、リアフレーム４８は背支柱１９ａよりも大きな角度で後傾する。
【００５２】
このため、コロ４２は背支柱１９ａに対して相対的に後傾することになる。そして、背インナーシェル４ａの下部は係止ピン４４がガイド体４５に嵌まっていてリアフレーム４８から離反不能に保持されているため、コロ４２が背支柱１９ａに対して相対的に後退すると、背インナーシェル４ａは縦断側面視で前向き凸状に大きく変形していた状態から、扁平に近い状態に伸び変形する（引き延ばされる）ことになる。つまり、背もたれ４（背インナーシェル４ａ）は、後傾すると扁平な状態に向けて伸び勝手になる。
【００５３】
着座した人が上半身を直立姿勢又はやや前傾姿勢にしてキーボード操作等の作業を行う場合は、腰椎（特に第３腰椎のあたり）が背もたれ４で支えられることにより、人は安定した姿勢を保持できる。他方、ロッキング時に背もたれ４が前向き凸状に大きく湾曲したままであると、人の上半身はのけぞるような状態に曲げられるため安楽性に欠けるが、本実施形態では、ロッキング状態で背もたれ４は扁平な状態に伸び勝手になるためフィット性が高く、使用者の身体に違和感を与えることはない。
【００５４】
また、背もたれ４が伸び勝手となることにより、結果として背もたれ４は座３よりも大きな角度で後傾することになり、このため座３と背もたれ４とを中間金具１８（背インナーシェル４ａ）に取り付けたものでありながら、背もたれ４に必要な後傾角度を保持せしめることができる。
【００５５】
なお、座前部３ａの前後幅寸法は２００ｍｍ程度に設定しており、座３の全長（前後幅寸法）の半分よりも短い寸法になっている。
【００５６】
第１支軸２２がスライドする長穴２９を水平姿勢とするのは、着座によって座が後退動及び後傾動することを防止する規制手段の一例であるが、規制手段としては、例えば、略水平姿勢の長穴の前端部のを前傾姿勢にしたり、長穴の前端位置に、第１支軸が僅かに落ち込む凹所を形成したりすることも可能である。また、このような規制手段は、長穴が側面視で傾斜している場合にも適用できる。
【００５７】
(6).その他
以上、本願発明の実施形態を説明したが、本願発明は他にも様々の形態に具体化できる。例えばベースや座、中間部材、リアフレーム、背もたれ等の各部材の形態はその機能を保持する限りどのように変更することも可能である。例えば中間部材や背支柱を板金製品やダイキャスト製品としたり、中間部材のうち座が取り付く部分は板金製品又はダイキャスト製品として背支柱は金属パイプ材製としたりすることも可能である。
【００５８】
また、部材同士の連結手段は支軸（ピン）を使用することに限らず、一方の部材に設けたボス部を他方の部材に設けた穴に嵌め込むといったことも可能である。また、本願発明は、座と背もたれとを別々のフレーム材に取り付けているタイプの椅子にも適用できる。
【００５９】
中間部材は上下の受け部材を使用することなく支軸でベースに直接に連結しても良いのであり、また、ベースに取り付けた中間部材と座との間に他の部材を介在させることも可能である。更に、中間部材に相当する部材（例えばブラケット類）をベースに直接に設けることも可能であり、従って、背支柱は座に固定しても良いのである。
【図面の簡単な説明】
【００６０】
【図１】椅子の正面図及び右側面図である。
【図２】椅子の平面図、図１（Ａ）の IIB-IIB視断面図、背面図、座と背もたれのみ    の縦断側面図である。
【図３】縦断側面図である。
【図４】座部を構成する部材の分離斜視図である。
【図５】ベースと下受け部座との分離斜視図である。
【図６】前後インナーシェルの分離斜視図である。
【図７】座アウターシェルの斜視図である。
【図８】座を省略した状態での部分的な平面図である。
【図９】図８の IX-IX視部分断面図である。
【図１０】図８の X-X視部分断面図である。
【図１１】座前部を前傾させるための機構を示す図である。
【図１２】背もたれの支持構造を示す分離斜視図である。
【図１３】座と背もたれとの動きを説明する概念図である。
【符号の説明】
【００６１】
１  脚
２  ベース
３  座
３ａ  座前部
３ｂ  座後部
４  背もたれ
９，１０  座のインナーシェル
１８  中間金具
１９ａ  背支柱
２２  第１支軸
２９  長溝（長穴）
３０  ロッキング用ばね
４８  リアフレーム
５０  第２支軸
５７  第３支軸
【図１】
2008012227.tif 000003
【図２】
2008012227.tif 000004
【図３】
2008012227.tif 000005
【図４】
2008012227.tif 000006
【図５】
2008012227.tif 000007
【図６】
2008012227.tif 000008
【図７】
2008012227.tif 000009
【図８】
2008012227.tif 000010
【図９】
2008012227.tif 000011
【図１０】
2008012227.tif 000012
【図１１】
2008012227.tif 000013
【図１２】
2008012227.tif 000014
【図１３】
2008012227.tif 000015